【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
遊技者が操作可能な操作手段と、
前記操作手段の操作可能回数を特定可能に報知する第１報知手段と、
前記操作手段の操作有効期間に遊技者が操作した回数と、前記操作手段の操作有効期間に遊技者が操作しなかった回数と、前記操作した回数と前記操作しなかった回数の合計回数と、のうちの少なくとも１つの回数を特定可能に報知する第２報知手段と、
前記操作手段の操作を用いた操作演出を実行する操作演出実行手段と、
前記操作可能回数が１以上のときに前記操作手段の操作を促す促進演出を実行する促進演出手段と
を備え、
前記操作演出実行手段は、前記操作演出中における前記操作有効期間内に前記操作手段の操作に対応する操作結果演出として特定結果演出を実行可能であり、
前記特定結果演出は、
前記操作可能回数と前記合計回数との差が所定差であり前記操作可能回数が第１回数である場合と、
前記操作可能回数と前記合計回数との差が前記所定差であり前記操作可能回数が第２回数である場合とで異なる割合で実行されることを特徴とする遊技機。
【請求項２】
遊技が可能な遊技機であって、
遊技者が操作可能な操作手段と、
前記操作手段の操作可能回数を特定可能に報知する第１報知手段と、
前記操作手段の操作有効期間に遊技者が操作した回数と、前記操作手段の操作有効期間に遊技者が操作しなかった回数と、前記操作した回数と前記操作しなかった回数の合計回数と、のうちの少なくとも１つの回数を特定可能に報知する第２報知手段と、
前記操作手段の操作を用いた操作演出を実行する操作演出実行手段と、
前記操作可能回数が１以上のときに前記操作手段の操作を促す促進演出を実行する促進演出手段と
を備え、
前記操作演出実行手段は、前記操作演出中における前記操作有効期間内に前記操作手段の操作に対応する操作結果演出として特定結果演出を実行可能であり、
前記特定結果演出は、
前記操作可能回数と前記合計回数との差が所定差であり前記操作した回数が第１回数である場合と、
前記操作可能回数と前記合計回数との差が前記所定差であり前記操作した回数が第２回数である場合とで異なる割合で実行されることを特徴とする遊技機。
【手続補正２】
【補正対象書類名】明細書
【補正対象項目名】０００７
【補正方法】変更
【補正の内容】
【０００７】
（１）上記目的を達成するため、本発明の一態様による遊技機は、
遊技が可能な遊技機（例えば、遊技機１、パチスロ機等）であって、遊技者が操作可能な操作手段（例えば、スティックコントローラ３１Ａ、プッシュボタン３１Ｂ等）と、前記操作手段の操作可能回数を特定可能に報知（例えば、図３３（Ｂ）に示すように操作演出アイコンの数によって操作可能回数を特定可能に報知等。図３３（Ｂ）では４個の操作演出アイコン（ＳＴ１〜ＳＴ４）によって操作可能回数「４」を報知）する第１報知手段（例えば、画像表示装置５の表示を制御する演出制御用ＣＰＵ１２０等）と、前記操作手段の操作有効期間（例えば、図３２（Ｂ）に示したリーチ前、リーチ中、スーパーリーチ中の操作期間等）に遊技者が操作した回数と、前記操作手段の操作有効期間に遊技者が操作しなかった回数と、前記操作した回数と前記操作しなかった回数の合計回数と、のうちの少なくとも１つの回数を特定可能に報知（例えば、図３３（Ｄ）に示すように終了表示ＭＫ１を重畳させた操作演出アイコンの数によって操作回数を特定可能に報知等。図３３（Ｄ）では１個の終了表示ＭＫ１を重畳させた操作演出アイコン（ＳＴ１）によって操作回数「１」を報知。また、図３３（Ｃ）に示すように終了表示ＭＫ１の数によって操作しなかった回数を特定可能に報知等。図３３（Ｃ）では１個の終了表示ＭＫ１によって操作しなかった回数「１」を報知。また、図３９（Ａ）に示すように操作回数と操作しなかった回数により合計回数を報知等）する第２報知手段（画像表示装置５の表示を制御する演出制御用ＣＰＵ１２０等）と、前記操作手段の操作を用いた操作演出（例えば、図３３〜図３５に示した演出等）を実行する操作演出実行手段と、前記操作可能回数が１以上のときに前記操作手段の操作を促す促進演出（例えば、図３５（Ｂ）等に示すように、操作促進表示５ＳＳを表示する演出等）を実行する促進演出手段（例えば、画像表示装置５の表示を制御する演出制御用ＣＰＵ１２０等）とを備え、前記操作演出実行手段は、前記操作演出中（例えば、図３２（Ｂ）に示すようにリーチ前、リーチ中、スーパーリーチ中等）における前記操作有効期間内に前記操作手段の操作に対応する操作結果演出（例えば、図３２（Ａ）に示したカットイン演出等）として特定結果演出（例えば、強カットイン演出等）を実行可能であり、前記特定結果演出は、前記操作可能回数と前記合計回数との差（例えば、図３６（Ａ）、図３６（Ｂ）、図３７（Ｃ）、図３７（Ｄ）、図３８（Ｃ）、図３８（Ｄ）などに示した残り操作回数等）が所定差であり前記操作可能回数が第１回数である場合と、前記操作可能回数と前記合計回数との差が前記所定差であり前記操作可能回数が第２回数である場合とで異なる割合で実行される（例えば、強カットイン演出は、図３６（Ａ）に示すように、合計残り操作回数が同一であっても合計操作可能回数に応じて異なる割合で実行され、図３８（Ｃ）に示すように、スーパーリーチ中の残り操作回数が同一であってもスーパーリーチ中の操作可能回数に応じて異なる割合で実行される）。
【手続補正３】
【補正対象書類名】明細書
【補正対象項目名】０００８
【補正方法】変更
【補正の内容】
【０００８】
このような遊技機によれば、興趣を向上させることができる。また、操作手段の操作が促進されるので、興趣を向上させることができる。
【手続補正４】
【補正対象書類名】明細書
【補正対象項目名】０００９
【補正方法】変更
【補正の内容】
【０００９】
（２）上記目的を達成するため、本発明の他の態様による遊技機は、  遊技が可能な遊技機（例えば、遊技機１、パチスロ機等）であって、遊技者が操作可能な操作手段（例えば、スティックコントローラ３１Ａ、プッシュボタン３１Ｂ等）と、前記操作手段の操作可能回数を特定可能に報知（例えば、図３３（Ｂ）に示すように操作演出アイコンの数によって操作可能回数を特定可能に報知等。図３３（Ｂ）では４個の操作演出アイコン（ＳＴ１〜ＳＴ４）によって操作可能回数「４」を報知）する第１報知手段（例えば、画像表示装置５の表示を制御する演出制御用ＣＰＵ１２０等）と、前記操作手段の操作有効期間（例えば、図３２（Ｂ）に示したリーチ前、リーチ中、スーパーリーチ中の操作期間等）に遊技者が操作した回数と、前記操作手段の操作有効期間に遊技者が操作しなかった回数と、前記操作した回数と前記操作しなかった回数の合計回数と、のうちの少なくとも１つの回数を特定可能に報知（例えば、図３３（Ｄ）に示すように終了表示ＭＫ１を重畳させた操作演出アイコンの数によって操作回数を特定可能に報知等。図３３（Ｄ）では１個の終了表示ＭＫ１を重畳させた操作演出アイコン（ＳＴ１）によって操作回数「１」を報知。また、図３３（Ｃ）に示すように終了表示ＭＫ１の数によって操作しなかった回数を特定可能に報知等。図３３（Ｃ）では１個の終了表示ＭＫ１によって操作しなかった回数「１」を報知。また、図３９（Ａ）に示すように操作回数と操作しなかった回数により合計回数を報知等）する第２報知手段（画像表示装置５の表示を制御する演出制御用ＣＰＵ１２０等）と、前記操作手段の操作を用いた操作演出（例えば、図３３〜図３５に示した演出等）を実行する操作演出実行手段と、前記操作可能回数が１以上のときに前記操作手段の操作を促す促進演出（例えば、図３５（Ｂ）等に示すように、操作促進表示５ＳＳを表示する演出等）を実行する促進演出手段（例えば、画像表示装置５の表示を制御する演出制御用ＣＰＵ１２０等）とを備え、前記操作演出実行手段は、前記操作演出中（例えば、図３２（Ｂ）に示すようにリーチ前、リーチ中、スーパーリーチ中等）における前記操作有効期間内に前記操作手段の操作に対応する操作結果演出（例えば、図３２（Ａ）に示したカットイン演出等）として特定結果演出（例えば、強カットイン演出等）を実行可能であり、前記特定結果演出は、前記操作可能回数と前記合計回数との差（例えば、図３６（Ａ）、図３６（Ｂ）、図３７（Ｃ）、図３７（Ｄ）、図３８（Ｃ）、図３８（Ｄ）などに示した残り操作回数等）が所定差であり前記操作した回数が第１回数である場合と、前記操作可能回数と前記合計回数との差が前記所定差であり前記操作した回数が第２回数である場合とで異なる割合で実行される（例えば、強カットイン演出は、図３６（Ｂ）や図３７（Ｃ）や図３７（Ｄ）に示すように、合計残り操作回数が同一であっても合計操作回数に応じて異なる割合で実行され、図３８（Ｄ）に示すように、スーパーリーチ中の残り操作回数が同一であってもスーパーリーチ中の操作回数に応じて異なる割合で実行される）。
【手続補正５】
【補正対象書類名】明細書
【補正対象項目名】００１０
【補正方法】変更
【補正の内容】
【００１０】
このような遊技機によれば、興趣を向上させることができる。また、操作手段の操作が促進されるので、興趣を向上させることができる。